(57)【要約】【課題】被照明領域を均一かつ明るく照明することができるものでありながら、部品点数を削減でき、構造の単純化と薄型化が可能で、低コストである背面照明装置の提供。【解決手段】光源１３と、光源１３からの光を端面に設けられた入射面１２ａから導入して一方の面側から出射する導光板１２と、基体１７ａ上に複数の錐状体１７ｂが形成されてなる光指向性調整シート１７とを備えてなり、光指向性調整シート１７は導光板１２の一方の面側に錐状体１７ｂの頂部１７ｃが導光板１２と反対側を向くように設けられ、導光板１２の一方の面側から出射されて該光指向性調整シート１７を透過する光のうち少なくとも異なる２方向の透過光成分の指向性を制御可能な構成とされたバックライト１０。液晶表示ユニット２０の背面側にバックライト１０を備えた液晶表示装置１。【選択図】        図１
2004172003.tif 000002
【特許請求の範囲】
【請求項１】
光源と、該光源からの光を端面に設けられた入射面から導入して一方の面側から出射する導光板と、基体上に複数の錐状体が形成されてなる光指向性調整シートとを備え、前記光指向性調整シートは前記導光板の一方の面側に前記錐状体の頂部が前記導光板と反対側を向くように設けられ、前記導光板の一方の面側から出射されて該光指向性調整シートを透過する光のうち少なくとも異なる２方向の透過光成分の指向性を制御可能な構成とされたことを特徴とする背面照明装置。
【請求項２】
前記光指向性調整シートの錐状体は、多角錐であることを特徴とする請求項１記載の背面照明装置。
【請求項３】
前記光指向性調整シートの錐状体は、円錐又は楕円錐であることを特徴とする請求項１記載の背面照明装置。
【請求項４】
前記光指向性調整シートの錐状体は、頂部の角度θａが７０度以上１１０度以下の範囲とされていることを特徴とする請求項１乃至３のいずれか一項に記載の背面照明装置。
【請求項５】
前記光指向性調整シートの基板上に形成される複数の錐状体は、隣接する錐状体の頂部間のピッチＰａが３０μｍ以上１００μｍ以下の範囲とされていることを特徴とする請求項１乃至４のいずれか一項に記載の背面照明装置。
【請求項６】
前記光指向性調整シートの基板上に形成される複数の錐状体の配置は、前記光源からの距離に応じた配置とされていることを特徴とする請求項１乃至５のいずれか一項に記載の背面照明装置。
【請求項７】
前記光指向性調整シートの基板上に形成される複数の錐状体の配置は、前記導光板の面内方向の輝度の分布に応じた配置とされていることを特徴とする請求項１乃至６のいずれか一項に記載の背面照明装置。
【請求項８】
前記光指向性調整シートの基板上に形成される複数の錐状体高さｈａ及び／又はピッチＰａが、前記光源からの距離又は前記導光板の面内方向の輝度の分布に応じて変更されていることを特徴とする請求項６又は７に記載の背面照明装置。
【請求項９】
前記光指向性調整シートの錐状体の高さｈａは、前記光源に遠い側の方が前記光源に近い側よりも大きくされていることを特徴とする請求項６乃至８のいずれか一項に記載の背面照明装置。
【請求項１０】
前記光指向性調整シートの錐状体のピッチａは、前記光源に遠い側の方が前記光源に近い側よりも小さくされていることを特徴とする請求項６乃至９のいずれか一項に記載の背面照明装置。
【請求項１１】
前記光指向性調整シートの錐状体の面密度は、光源に遠い側の方が前記光源に近い側よりも大きくされていることを特徴とする請求項１乃至１０のいずれか一項に記載の背面照明装置。
【請求項１２】
前記光指向性調整シートの複数の錐状体が形成されている面側に、光拡散性シートが配置されていることを特徴とする請求項１乃至１１のいずれか一項に記載の背面照明装置。
【請求項１３】
前記光指向性調整シートの導光板側の面に光拡散性を有する微小凹凸が形成されていることを特徴とする請求項１乃至１１のいずれか一項に記載の背面照明装置。
【請求項１４】
前記導光板は、前記光源に遠い側の方が前記光源に近い側よりも厚さが薄くされていることを特徴とする請求項１乃至１３のいずれか一項に記載の背面照明装置。
【請求項１５】
前記光源は、導光板の端面に沿って配設された中間導光体と、該中間導光体の長さ方向の端面に配設された略点光源とからなることを特徴とする請求項１乃至１４のいずれか一項に記載の背面照明装置。
【請求項１６】
請求項１乃至１５のいずれか一項に記載の背面照明装置と、該背面照明装置により背面側から照明される液晶表示ユニットとを備えたことを特徴とする液晶表示装置。
【発明の詳細な説明】
【０００１】
【発明の属する技術分野】
本発明は、液晶表示装置のバックライトとして好適な背面照明装置、およびこれを備えた液晶表示装置に関する。
【０００２】
【従来の技術】
図７は、従来のパッシブタイプ（単純マトリックスタイプ）の液晶表示装置の例を示した概略断面図である。この例の液晶表示装置３００は、透過型又は半透過反射型の液晶表示ユニット３２０と、この液晶表示ユニット３２０の背面側に配置されたバックライト３１０とから概略構成されている（例えば、特許文献１、２参照）。
バックライト３１０は、冷陰極管（ＣＣＦＬ）などの長尺光源３１３からの光を、板状の導光板３１２内にその入射面（側面）３１２ａから入射させるとともに、導光板３１２の液晶ユニット３２０と対向する出射面（上面）３１２ｂから出射させるように構成されている。
【０００３】
導光板３１２の出射面３１２ｂの反対側の面（下面）３１２ｃには、白色又は反射性を有する多数の突起部又はドット状平面パターンからなる反射部材３１７が形成されることにより、光反射性が付与されている。
導光板３１２の出射面３１２ｂには、散乱板３１４が配置され、さらにこの酸散乱板３１４上に２枚のプリズムシート３１５、３１６が順に設けられることにより、光の拡散性および輝度分布の均一性が付与されている。上記の各プリズムシートは、図８に示すように基板上に形成した層に一連の断面三角状突出部３１８と一連の断面くさび状溝３１９とが形成されてなるものである。これら２枚のプリズムシート３１５、３１６は、一方のプリズムシートの突出部３１８の稜線の延在方向と他方のプリズムシートの突出部３１８の稜線の延在方向が９０度異なるように配置される（プリズム構造が直交するように配置される）ことで、導光板３１２の出射面３１２ｂから出射された光のうちある方向の光が一方のプリズムシート３１５を透過することで、ある角度範囲（例えば７０度まで）の視野角に集光され、出射光Ｌ１１として出射され、また、他の方向の光が他方のプリズムシート３１６を透過することで、ある角度範囲の視野角（例えば７０度まで）に集光され、出射光Ｌ１２として出射されるようになっている。
なお、近年、バックライトの光源として略点光源の白色ＬＥＤ（Ｌｉｇｈｔ  Ｅｍｉｔｔｉｎｇ  Ｄｉｏｄｅ）を採用したものも提案されている。
【０００４】
【特許文献１】
特表平１１−５０００７１号公報
【特許文献２】
特願平１０−１６９９２２号公報
【０００５】
【発明が解決しようとする課題】
しかしながら、従来のバックライト３１０においては、導光板３１２の出射面３１２から出射された光をある角度範囲の視野角に集光する手段として先に述べたような構造の二枚のプリズムシート３１５、３１６が備えられているために、構成部品点数が多くなり、構造が複雑で、厚みが大きくなりがちであり、しかもコスト高となってしまうという問題があった。
また、従来の技術では、液晶表示ユニット３２０の表示領域（被照明領域）を均一かつ明るく照明することができるものでありながら、薄型で、低コストであるバックライトは実現されていなかった。
また、従来の液晶表示装置３００においては、上記のようなバックライト３１０が備えられていたために、装置全体の厚みが大きくなってしまうだけでなく、コスト高となるという問題があった。
【０００６】
本発明は、上記の課題を解決するためになされたものであって、被照明領域を均一かつ明るく照明することができるものでありながら、部品点数を削減でき、構造の単純化と薄型化が可能で、低コストである背面照明装置を提供することを目的の一つとする。
また、本発明は、上記背面照明装置を備え、高輝度で、表示品質に優れたものでありながら、薄型で、低コストの液晶表示装置を提供することを目的の一つとする。
【０００７】
【課題を解決するための手段】
上記の目的を達成するために、本発明は以下の構成を採用した。
本発明に係わる背面照明装置は、光源と、該光源からの光を端面に設けられた入射面から導入して一方の面側から出射する導光板と、基体上に複数の錐状体が形成されてなる光指向性調整シートとを備え、前記光指向性調整シートは前記導光板の一方の面側に前記錐状体の頂部が前記導光板と反対側を向くように設けられ、前記導光板の一方の面側から出射されて該光指向性調整シートを透過する光のうち少なくとも異なる２方向の透過光成分の指向性を制御可能な構成とされたことを特徴とする。
【０００８】
かかる構成の背面照明装置では、上記構成の光指向性調整シートが備えられたことにより、上記導光板の出射面側から出射された光のうち少なくとも異なる２方向の透過光成分の指向性を制御することで、被照明物の照明に好ましい角度で光を集光して、出射することができ、被照明物の照明に寄与しない光（無駄になる光）が少なく、被照明領域を均一かつ明るく照明することができる。また、この背面照明装置は、上記導光板の出射面側から出射された光のうち少なくとも異なる２方向の透過光成分の指向性を一枚の光指向性調整シートで制御できるので、２枚のプリズムシートを設ける従来のバックライトと比べて、部品点数を減らすことができ、これによって構造の単純化と薄型化が可能で、低コストとすることができる。
【０００９】
また、上記構成の本発明の背面照明装置においては、前記光指向性調整シートの基板上に形成される錐状体は、多角錐又は円錐又は楕円錐であってもよく、あるいはこれらの形状のうち２種以上が混在されていてもよい。
【００１０】
また、上記のいずれかの構成の本発明の背面照明装置においては、上記光指向性調整シートの錐状体は、頂部の角度θａが７０度以上１１０度以下の範囲とされていることが好ましい。
また、上記のいずれかの構成の本発明の背面照明装置においては、上記光指向性調整シートの基板上に形成される複数の錐状体は、隣接する錐状体の頂部間のピッチＰａが３０μｍ以上１００μｍ以下の範囲とされていることが好ましい。
【００１１】
さらに、上記のいずれかの構成の本発明の背面照明装置においては、前記光指向性調整シートの基板上に形成される複数の錐状体の配置は、前記光源からの距離に応じた配置あるいは前記導光板の面内方向の輝度の分布に応じた配置とされていることが好ましい。
例えば、前記光指向性調整シートの基板上に形成される複数の錐状体高さｈａ及び／又はピッチＰａが、前記光源からの距離又は前記導光板の面内方向の輝度の分布に応じて変更されていてもよく、更に具体的には前記光指向性調整シートの錐状体の高さｈａは、前記光源に遠い側の方が前記光源に近い側よりも大きくされていてもよく、あるいは前記光指向性調整シートの錐状体のピッチａは、前記光源に遠い側の方が前記光源に近い側よりも小さくされていてもよい。
さらにまた、上記のいずれかの構成の本発明の背面照明装置においては、上記光指向性調整シートの錐状体の面密度は、光源に遠い側の方が上記光源に近い側よりも大きくされていることが好ましい。ここでの錐状体の面密度は、単位面積あたりの基体に形成された錐状体の個数である。
【００１２】
また、本発明の背面照明装置においては、上記光指向性調整シートの複数の錐状体が形成されている面側に、光拡散性シートが設けられていてもよい。
かかる構成の背面照明装置によれば、導光板の出射面から出射された光は光拡散性シートにより拡散されるので、出射光の均一性を向上できる。
【００１３】
また、本発明の背面照明装置においては、上記光指向性調整シートの導光板側の面に光拡散性を有する微小凹凸が形成されていてもよい。
かかる構成の背面照明装置によれば、導光板の出射面から出射された光は、上記光指向性調整シートの導光板側の面設けられた微小凹凸によって拡散されるので、出射光の均一性を向上できるうえ、光拡散性シートを別個に設けるものに比べて部品点数が少なくて済み、薄型化できる。
【００１４】
また、上記のいずれかの構成の本発明の背面照明装置においては、上記導光板は、上記光源に遠い側の方が上記光源に近い側よりも厚さが薄くされていることが導光板の出射面から出射される光量とその均一性を高めることができる点で好ましい。
また、上記のいずれかの構成の本発明の背面照明装置においては、上記光源は、冷陰極管（ＣＣＦＬ）等の長尺光源、又は分散型ＥＬ（Ｅｌｅｃｔｒｏｌｕｍｉｎｅｓｃｅｎｃｅ）、又はＬＥＤ（Ｌｉｇｈｔ  Ｅｍｉｔｔｉｎｇ  Ｄｉｏｄｅ）等の略点光源であってもよい。
また、上記のいずれかの構成の本発明の背面照明装置においては、上記光源は、導光板の端面に沿って配設された中間導光体と、該中間導光体の長さ方向の端面に配設された略点光源とからなるものであってもよい。
【００１５】
また、本発明の液晶表示装置は、上記のいずれかの構成の本発明の背面照明装置と、該背面照明装置により背面側から照明される液晶表示ユニットとを備えたことを特徴とする。
本発明の液晶表示装置は、上記導光板の他方の面側に上記拡散性反射体が設けられ、一方の面（出射面）側に上記光指向性調整シートが設けられた本発明の背面照明装置が液晶表示ユニットの背面側に備えられたことで、表示領域（被照明領域）を均一に、かつ明るく照明できるので、高輝度で、表示の視認性が良好で、表示品質に優れ、また、部品点数が少なくて済むので、薄型で、低コストとすることができる。
【００１６】
【発明の実施の形態】
以下、本発明の実施形態を図面を参照して説明するが、本発明は以下の実施形態に限定されるものではない。
（第１の実施形態）
図１は、本発明の第１の実施形態であるバックライト（背面照射装置）を備えた液晶表示装置の断面構成図である。
本実施形態の液晶表示装置１は、液晶表示ユニット２０と、この液晶表示ユニット２０の背面側（下面側）に配置された、液晶表示ユニット２０を背面側から照明するためのバックライト１０とから概略構成されている。
【００１７】
液晶表示ユニット２０は透過型であり、液晶層２３を挟持して対向するガラスなどからなる第１の基板２１と、第２の基板２２をシール材２４で接合一体化して概略構成されている。第１の基板２１および第２の基板２２の液晶層２３側には、表示回路２６，２７がそれぞれ形成されている。
表示回路２６および２７は、図示されていないが液晶層２３を駆動するための透明導電膜等からなる電極層や液晶層２３の配向を制御するための配向膜等を含むものである。また、場合によってはカラー表示を行うためのカラーフィルタなどを有する構成であってもよい。
【００１８】
バックライト１０は、透明導光板１２と、光源１３と、光反射シート１４、光指向性調整シート１７、保持部材１８とから概略構成されている。バックライト１０において、光源１３は、導光板１２に光を導入する端面１２ａ側に配設されており、光反射シート１４は導光板１２の出射面（上面、一方の面）１２ｂ側と反対側の面（下面、他方の面）に空気層１６を介して設けられており、光指向性調整シート１７は導光板１２の出射面１２ｂ上に配置されている。なお、本実施形態での光反射シート１４は、導光板１２の下方にほぼ水平に設けられているが、斜めに傾斜して設けられていてもよい。
【００１９】
導光板１２は、上記液晶表示ユニット２０の表示領域の背面側（図示下面側）に配置されて光源１３から出射された光を液晶表示ユニット２０に照射するものであり、平板状の透明なアクリル樹脂などから構成されている。図１に示すように、導光板１２の一方の端面１２ａ（以下、入射面１２ａということもある）には光源１３が配設されており、光源１３から出射される光が入射面１２ａを介して導光板１２の内部に導入されるようになっている。導光板１２の上面（液晶表示ユニット２０側の面）は出射面１２ｂとなっている。
導光板１２を構成する材料としてはアクリル系樹脂のほか、ポリカーボネート系樹脂、エポキシ樹脂などの透明な樹脂材料や、ガラスなどを用いることができる。また、具体的な例を挙げるならば、特に限定されるものではないが、アートン（商品名：ＪＳＲ社製）や、ゼオノア（商品名：日本ゼオン社製）などを好適なものとして挙げることができる。
【００２０】
導光板１２の出射面１２ｂは、液晶表示ユニット２０に向けて配置されて液晶表示ユニット２０を照明するための光が出射される面である。
また、導光板１２の出射面１２ｂと反対側の面１２ｃには段部を形成することで、光源１３から離れるにしたがって漸次厚みが減少するようにされており、すなわち光源１３に遠い側の方が光源１３に近い側よりも厚さが薄くされており、このようにすることで、先に述べた効果が得られる。
【００２１】
光源１３は、長尺の冷陰極管１３ａと、この冷陰極管１３ａの周囲に設けられた反射板１３ｂから構成されている。反射板１３ｂは、冷陰極管１３ａから出射された光を導光板１２の入射面側に向けて反射させ、冷陰極管１３ａからの光を効率良く導光板１２内に入射させるためのものである。
【００２２】
光反射シート１４は、指向性を持たない白色拡散シートや、微小凹凸形状をランダムに配置した反射板等の指向性を持った光拡散反射板等から構成されたものである。
【００２３】
図２は、光指向性調整シート１７の一部を拡大して示した斜視図である。
この光指向性調整シート１７は、導光板１２の出射面１２ｂから出射されて該光指向性調整シート１７を透過する光のうち少なくとも異なる２方向の透過光成分の指向性を制御可能なものである。この光指向性調整シート１７は、ポリエステルフィルム、ポリエチレンテレフタレートフィルム（ＰＥＴフィルム）等からなる基体１７ａ上に、アクリル系樹脂、ポリカーボネート等からなる複数の四角錐（錐状体）１７ｂが形成されてなるものである。この光指向性調整シート１７ｂは、上記四角錐１７ｂの頂部１７ｃが導光板１２と反対側を向くように（液晶表示ユニット２０側を向くように）設けられている。
【００２４】
この光指向性調整シート１７の厚さは、１５０μｍから３００μｍ程度のものである。
各四角錐１７ｂの頂部の角度θａは７０度から１１０度程度、好ましくは８０度から１００度程度とされている。角度θａが７０度未満であると、光の利用効率が低下し、角度θａが１１０度を超えると指向性が低下する。
【００２５】
隣接する頂部１７ｃ、１７ｃ間のピッチＰａは３０μｍから１００μｍ程度、好ましくは５０μｍから８０μｍ程度とされている。ピッチＰａが３０μｍ未満であると光の利用効率が低下し、１００μｍを超えると輝度が均一な照明が困難になる。
【００２６】
基体１７ａ上に形成する複数の四角錐１７ｂの配置は、光源１３からの距離に応じた（光源１３からの光の分布に応じた）配置あるいは導光板１２の面内方向の輝度の分布（出射面１２ｂの輝度の分布）に応じた配置とされていることが好ましく、例えば、光源１３ａからの距離に応じてあるいは導光板１２の面内方向の輝度の分布に応じて四角錐１７ｂのピッチＰａ及び／または高さｈａが変更され、さらに具体的には、四角錐１７ｂのピッチＰａは、光源１３から遠い側が近い側より小さく（密）とされていてもよく、あるいは、四角錐１７ｂの高さｈａは、光源１３から遠い側が近い側より大きく（高く）されていてもよく、このようにすることで指向特性の面内バラツキおよび輝度の面内バラツキを小さくすることができる。
【００２７】
保持部材１８は、導光板１２、光源１３、光反射シート１４を取り囲むように設けられてこれらを一括的に収容することで、導光板１２、光源１３、光散乱１４を一体的に保持している。
保持部材１８の内面１８ａには、アルミニウムや銀などの高い反射率を有する金属材料をスパッタ法や真空蒸着などの成膜法により反射膜等が形成されることにより光反射特性が付与されている。
【００２８】
本実施形態の液晶表示装置１にあっては、液晶表示ユニット２０の背面側に設けられたバックライト１０を点灯させることによって、透過型の液晶表示を行うことができる。
具体的には、バックライト１０の光源１３から出射され、導光板１２の入射面１２ａを介して導光板１２に導入された光は、導光板１２の内面で反射されながら内部を伝搬する。導光板１２の内部の伝搬光の一部Ｌ２は出射面１２ｂから出射され、また導光板１２の内部の伝搬光の他の一部は、導光板１２の下面１２ｃから出射されて光反射シート１４で散乱、反射され、この反射光Ｌ３が導光板１２を通過して導光板１２の出射面１２ｂから出射される。なお、光反射シート１４に至った光のうち光反射シート１４で反射されずに、透過した光があっても、この光は保持部材１８の内面１８ａで反射されて再度光反射シート１４を通って導光板１２に入射し、照明光として利用可能である。
そして、導光板１２の出射面１２ｂから出射された光Ｌ２、Ｌ３は光指向性調整シート１７を透過して指向性が制御され、液晶表示ユニット２０（被照明領域）の照明に好ましい角度で集光されて、液晶表示ユニット２０（特に、表示領域）を背面側から照明する。
このようにして液晶表示ユニットが背面側から照明されることにより、液晶表示ユニット２０の表示が使用者に視認される。
【００２９】
本実施形態のバックライト１０では、上記のような構成の光指向性調整シート１７が設けられたことにより、導光板１２の出射面側から出射された光のうち少なくとも異なる２方向の透過光成分の指向性を制御できるので、表示領域（被照明物）の照明に好ましい角度で光を集光して、出射することができ、表示領域（被照明物）の照明に寄与しない光（無駄になる光）が少なく、被照明領域を均一かつ明るく照明することができる。また、本実施形態のバックライト１０は、導光板１２の出射面側から出射された光のうち少なくとも異なる２方向の透過光成分の指向性を一枚の光指向性調整シート１７で制御できるので、２枚のプリズムシートを設ける従来のバックライトと比べて、部品点数を減らすことができ、これによって構造の単純化と薄型化が可能で、低コストとすることができ、例えば厚さ１．２ｍｍ以下のバックライト１０も構成可能であり、液晶表示装置１の薄型化を図るうえで好ましい。
従って、本実施形態のフロントライト１０によれば、被照明領域を均一かつ明るく照明することができるものでありながら、部品点数を削減でき、構造の単純化と薄型化が可能で、低コストであるフロントライトを実現できる。
【００３０】
また、本実施形態の液晶表示装置１は、上記のようなバックライト１０が液晶表示ユニットの背面側に備えられたことで、液晶表示ユニット２０を均一に、かつ明るく照明できるので、高輝度で、表示の視認性が良好で、表示品質に優れ、また、部品点数が少なくて済むので、薄型で、低コストの液晶表示装置を実現できる。
【００３１】
なお、上記の実施形態においては、バックライト１０に備えられる光指向性調整シート１７の基体１７ａ上に形成される錐状体が四角錐１７ｂである場合について説明したが、錐状体としては四角錐に限らず、６角錐や８角錐などの多角錐であってもよく、あるいは図３に示すような円錐４７ｂや、あるいは楕円錐であってもよい。
また、上記の実施形態においては、バックライト１０に備えられる光源１３が冷陰極管１３ａと、反射板１３ｂから構成されている場合について説明したが、光源としては分散型ＥＬ又はＬＥＤ等の略点光源であってもよく、あるいは図４に示すように、アクリル系樹脂やポリカーボート系樹脂などからなる四角柱状の中間導光体４３ａと、この中間導光体１３ａの長手方向両端面に配設されたＬＥＤ発光素子４３ｂ，４３ｂとから構成されたものであってもよく、導光板１２の入射面１２ａに光を均一に照射することができるものであればいずれのものでも好適に用いることができる。
図４の中間導光体４３ａの一側面４３ｃは、導光板１２の入射面１２ａに沿って配置されており、また、一側面４３ｃと反対側の側面にはプリズム面が形成されており、発光素子４３ｂ，４３ｂから中間導光体内に導入された光をこのプリズム面で反射させて導光板１２側へ伝搬方向を変え、導光板１２の入射面１２ａに発光素子１３ｂ，１３ｂからの光を効率良く照射するように構成されている。
【００３２】
なお、上記実施形態のバックライト１０においては導光板１２の下側に設けた光反射シート１４を設けているが、さらに図５に示すように光指向性調整シート１７の複数の四角錐１７ｂが形成されている面側に光拡散性シート１９が設けられていてもよく、あるいは図６に示すように光指向性調整シート１７の下面（導光板側の面）に光拡散性を有する微小凹凸１７ｇが形成されていてもよい。
【００３３】
図５の光拡散性シート１９の材質はアクリル系樹脂、ポリカーボネート樹脂等であり、表面に微細凹凸が形成されたものである。このような光拡散性シート１９が設けられている場合、導光板１２の出射面１２ｂから出射された光はさらに光拡散性シート１９により拡散されるので、出射光の均一性をさらに向上できる。  図６のような微小凹凸１７ｇは、光指向性調整シート１７の基体１７ａの下面にサンドブラストやエンボス加工等を施すことにより形成することができる。光指向性調整シート１７の基体１７ａの下面に光拡散性を有する微小凹凸１７ｇを形成した場合は、光拡散性シートを別個に設けるものに比べて部品点数が少なくて済み、薄型化できる。
【００３４】
尚、本発明の技術範囲は、上記の実施の形態に限定されるものではなく、本発明の要旨を逸脱しない範囲において種々の変更を加えることが可能である。
例えば、本発明はパッシブタイプの液晶表示装置に限らず、アクティブマトリックスタイプの液晶表示装置に適用することも可能である。
また、本発明は透過型の液晶表示装置に限らず、半透過反射型の液晶表示装置に適用することも可能である。
【００３５】
【発明の効果】
以上、詳細に説明したように本発明の背面照明装置によれば、上記の構成の光指向性調整シートが備えられたことにより、被照明領域を均一かつ明るく照明することができるものでありながら、部品点数を削減でき、構造の単純化と薄型化が可能で、低コストである背面照明装置を実現できる。
また、本発明の液晶表示装置によれば、本発明の背面照明装置が液晶表示ユニットの背面側に備えられたことにより、表示領域（被照明領域）を均一に、かつ明るく照明できるので、高輝度で、表示の視認性が良好で、表示品質に優れ、また、部品点数が少なくて済むので、薄型で、低コストの液晶表示装置を実現できる。
【図面の簡単な説明】
【図１】図１は、本発明の第１の実施形態である液晶表示装置を示した断面構成図。
【図２】図２は、第１の実施形態の液晶表示装置に備えられるバックライトの光指向性調整シートの一部を拡大して示した斜視図。
【図３】図３は、本発明に係わるバックライトに備えられる他の例の光指向性調整シートの一部を拡大して示した斜視図。
【図４】図４は、本発明に係わるバックライトに備えられる他の例の光源を示した斜視図。
【図５】図５は、本発明に係わる液晶表示装置の他の例を示した断面構成図。
【図６】図６は、本発明に係わる液晶表示装置の他の例を示した断面構成図。
【図７】図７は、従来のパッシブタイプの液晶表示装置の例を示した概略断面図。
【図８】図８は、図７の従来の液晶表示装置に備えられた２枚のプリズムシートを示す斜視図。
【符号の説明】
１…液晶表示装置、１０…バックライト（背面照明装置）、２０…液晶表示ユニット、１２…導光板、１２ａ…入射面、１２ｂ…上面（出射面、一方の面）、１２ｃ…下面（他方の面）、１３…光源、１３ａ…冷陰極管、１３ｂ…反射板、２０…液晶表示ユニット、１４…光反射シート、１６…接着層、１７…光指向性調整シート、１７ａ…基体、１７ｂ…四角錐（錐状体）、１７ｃ…頂部、１７ｇ…微小凹凸、１９…光拡散性シート、４３ａ…中間導光体、４３ｂ…発光素子、４７ｂ…円錐、θａ…角度、Ｐａ…ピッチ、ｈａ…高さ。
【図１】
2004172003.tif 000003
【図２】
2004172003.tif 000004
【図３】
2004172003.tif 000005
【図４】
2004172003.tif 000006
【図５】
2004172003.tif 000007
【図６】
2004172003.tif 000008
【図７】
2004172003.tif 000009
【図８】
2004172003.tif 000010